(57)【要約】  装置により実行するデータ伝送方法であって、ここで、前記装置は、構成グラント伝送のための複数のパラメータ及びＵＬグラントによってトリガーされる動的伝送のための複数のパラメータをＲＲＣによりそれぞれ構成し、前記方法は、構成グラント伝送のための複数のパラメータを利用してデータを伝送することと、前記ＵＬグラントにより前記データの再送がトリガーされる場合、構成グラント伝送のための前記複数のパラメータの一部を利用して前記データを再送することとを含む。
2021512532.tif 000002
【特許請求の範囲】
【請求項１】
装置により実行するデータ伝送方法であって、
前記装置は、構成グラント伝送のための複数のパラメータ及びＵＬグラントによってトリガーされる動的伝送のための複数のパラメータをそれぞれＲＲＣによって構成し、前記方法は、
構成グラント伝送のための前記複数のパラメータを利用してデータを伝送することと、
前記ＵＬグラントにより前記データの再送がトリガーされる場合、
構成グラント伝送のための前記複数のパラメータの一部を利用して前記データを再送することとを含む
ことを特徴とするデータ伝送方法。
【請求項２】
前記複数のパラメータがＭＣＳテーブルを含み、
前記ＵＬグラントにより前記データの再送がトリガーされる場合、
構成グラント伝送のための前記ＭＣＳテーブルを利用して前記データを再送する
ことを特徴とする請求項１に記載のデータ伝送方法。
【請求項３】
前記複数のパラメータがＭＣＳテーブル及び電力制御パラメータＰｏを含み、
前記ＵＬグラントにより前記データの再送がトリガーされる場合、
構成グラント伝送のための前記ＭＣＳテーブル及び前記電力制御パラメータＰｏを利用して前記データを再送する
ことを特徴とする請求項１に記載のデータ伝送方法。
【請求項４】
前記複数のパラメータがＭＣＳテーブル及び電力制御パラメータＰｏを含み、
前記ＵＬグラントにより前記データの再送がトリガーされる場合、
構成グラント伝送のための前記ＭＣＳテーブル及び動的伝送のための前記電力制御パラメータＰｏを利用して前記データを再送する
ことを特徴とする請求項１に記載のデータ伝送方法。
【請求項５】
前記装置がユーザーデバイスＵＥであり、前記ＵＬが上りリンクであり、前記データが前記ＵＥにより伝送されネットワーク側デバイスに再送される
ことを特徴とする請求項１〜４のいずれか１項に記載のデータ伝送方法。
【請求項６】
ＭＣＳが変調符号化方式であり、前記ＭＣＳテーブルが3GPP  TS  38.214内のmcs-Table及びmcs-TableTransformPrecoderを含む
ことを特徴とする請求項２〜５のいずれか１項に記載のデータ伝送方法。
【請求項７】
前記電力制御パラメータＰｏは、3GPP  TS  38.213内のp0-PUSCH-Alpha、powerControlLoopToUse及びpathlossRefer-enceIndexのうちの少なくとも１つを含む
ことを特徴とする請求項３〜６のいずれか１項に記載のデータ伝送方法。
【請求項８】
前記データは、物理上りリンク共有チャネルＰＵＳＣＨにより伝送及び再送される
ことを特徴とする請求項１〜７のいずれか１項に記載のデータ伝送方法。
【請求項９】
前記構成グラント伝送は、半静的又は半持続的な伝送である
ことを特徴とする請求項１〜８のいずれか１項に記載のデータ伝送方法。
【請求項１０】
前記装置が前記構成グラント伝送のための第1のパラメータセット及び前記動的伝送のための第２のパラメータセットを構成し、
前記第1のパラメータセットと前記第２のパラメータセットのいずれも前記複数のパラメータを含む
ことを特徴とする請求項１〜９のいずれか１項に記載のデータ伝送方法。
【請求項１１】
前記構成グラント伝送のための前記第1のパラメータセットは、3GPP  TS  38.331のconfiguredGrantConfig又はSPS-configに構成される
ことを特徴とする請求項１０に記載のデータ伝送方法。
【請求項１２】
前記動的伝送のための前記第２のパラメータセットは、3GPP  TS  38.331のpusch-Configに構成される
ことを特徴とする請求項１０に記載のデータ伝送方法。
【請求項１３】
前記複数のパラメータの一部は、3GPP  TS  38.214内のmcs-Table、mcs-TableTransformPrecoder、p0-NominalWithoutGrant、p0-PUSCH-Alpha、powerControlLoopToUse、pathlossReferenceIndex、transformPrecoderのうちの少なくとも１つを含む
ことを特徴とする請求項１〜１２のいずれか１項に記載のデータ伝送方法。
【請求項１４】
前記複数のパラメータの一部は、3GPP  TS  38.214内のmcs-Table、mcs-TableTransformPrecoder、p0-NominalWithoutGrant、p0-PUSCH-Alpha、powerControlLoopToUse、pathlossReferenceIndex、transformPrecoderからなる
ことを特徴とする請求項１３に記載のデータ伝送方法。
【請求項１５】
前記複数のパラメータの一部は、3GPP  TS  38.214のmcs-Table、mcs-TableTransformPrecoder、p0-PUSCH-Alpha、powerControlLoopToUse、pathlossReferenceIndex、transformPrecoderからなる
ことを特徴とする請求項１３に記載のデータ伝送方法。
【請求項１６】
前記ＵＬグラントにより前記データの再送がトリガーされる場合、
前記複数のパラメータの一部以外に、動的伝送のための全てのパラメータを利用して前記データを再送する
ことを特徴とする請求項１４又は１５に記載のデータ伝送方法。
【請求項１７】
請求項１〜１６のいずれか１項に記載の方法を実行する
ことを特徴とする装置。
【請求項１８】
前記装置は、構成グラント伝送のための複数のパラメータ及びＵＬグラントによってトリガーされる動的伝送のための複数のパラメータをそれぞれＲＲＣによって構成し、前記装置は、伝送部及び再送部を含み、
前記伝送部は、構成グラント伝送のための前記複数のパラメータを利用してデータを伝送するように構成される、
前記再送部は、前記ＵＬグラントにより前記データの再送がトリガーされる場合、構成グラント伝送のための前記複数のパラメータの一部を利用して前記データを再送するように構成される
ことを特徴とする請求項１７に記載の装置。
【請求項１９】
1つ以上のプロセッサと、プログラム命令を記憶する1つ以上のメモリとを備え、
前記プログラム命令が前記1つ以上のプロセッサによって実行されると、請求項1〜１６のいずれか1項に記載の方法を実行する
ことを特徴とする請求項１７に記載の装置。
【請求項２０】
1つ又は複数のプロセッサによって実行されると、請求項１〜１６のいずれか1項に記載の方法を装置に実行させるプログラム命令を含む
ことを特徴とするコンピュータプログラム。
【請求項２１】
請求項２０に記載のコンピュータプログラムを記憶する
ことを特徴とする記憶媒体。
【発明の詳細な説明】
【技術分野】
【０００１】
本願は、無線通信プロトコルに関する
【背景技術】
【０００２】
背景技術の記載は、本開示に関連する背景技術の情報を提供するものであり、先行技術を構成するものではない。また、この内容は、本発明に関連する概念を定義するために使用され得る。
【０００３】
1つのデバイス(例えば、ユーザデバイス（ＵＥ) )のネットワーク側デバイス(例えば、基地局)へのデータ伝送のために、無線リソース制御( Ｒａｄｉｏ Ｒｅｓｏｕｒｃｅ Ｃｏｎｔｒｏｌ、ＲＲＣ )パラメータが構成することができる。
【０００４】
上りリンクデータ伝送の場合、パラメータは、ネットワーク側デバイスによって構成され、半静的または半持続的構成および動的構成の両方を含む。
【０００５】
半静的又は半持続的な伝送では、パラメータに構成される値が頻繁に更新されることなく使用される時間は比較的長く、これにより、パラメータ値を更新するためのリソースを節約するが、無線チャネル特性の変化に応じてデータ伝送をリアルタイムで適応させることができない。
【０００６】
動的な構成では、無線チャネル特性の変化に応じて、パラメータに構成された値の更新がより頻繁になる。
【発明の概要】
【０００７】
本願は、データ伝送のための方法、装置、コンピュータプログラム及び記憶媒体を提供する。
【図面の簡単な説明】
【０００８】
図面は、単に例示のためのものであり、本発明を制限するためのものではない。
【図１】ネットワーク側デバイスとＵＥとの通信の模式図である。
【図２】前記方法のフローチャートである。
【図３】装置のブロック図である。
【図４】他の装置のブロック図である。
【発明を実施するための形態】
【０００９】
ネットワーク側デバイス(例えば、基地局)に装置(例えば、ＵＥ )が登録された後、ネットワーク側デバイスは、図1に示すように、ＵＥに対して、半静的又は半持続的なスケジューリング情報を送信することによって、ネットワーク側デバイスにデータを伝送するためのデータ伝送チャネル(例えば、上りリンクチャネル)を構成することができる。そのような半静的または半持続的な構成は、「構成グラント ( ｃｏｎｆｉｇｕｒｅｄ ｇｒａｎｔ )」と呼ばれることもある。
【００１０】
例えば、データ伝送チャネルの場合、変調符号化方式( Ｍｏｄｕｌａｔｉｏｎ ａｎｄ Ｃｏｄｉｎｇ Ｓｃｈｅｍｅ、ＭＣＳ )が設定され得る。ネットワーク側デバイスには複数のＭＣＳインデックステーブルが記憶され、ＵＥにも同様の複数のＭＣＳインデックステーブルが記憶される。ネットワーク側デバイスは、例えば、ＭＣＳテーブルＡにより、半静的又は準持続的なスケジューリング情報において、データ伝送チャネルを構成する複数のＭＣＳインデックステーブルから、ＭＣＳインデックステーブルの識別子を示すことができる。また、例えば、ネットワーク側デバイスは、データ伝送チャネルを構成するために、1つ以上の電力制御パラメータ及びそのパラメータ値を、半静的又は半持続的スケジューリング情報で示すことができる。
【００１１】
また、図1に示すように、ＵＥがネットワーク側デバイスに登録された後、ネットワーク側デバイスは、動的スケジューリング情報をＵＥに送信し、動的伝送に使用されるパラメータをＵＥに通知してもよい。この動的な構成は、「ＵＬグラント( ＵＬ ｇｒａｎｔ )」とも呼ばれ得、ＵＬは上りリンクを指す。
【００１２】
例えば、ネットワーク側デバイスは、例えばＭＣＳテーブルＢで、動的スケジューリング情報において、動的伝送でデータ伝送チャネルを構成するための複数のＭＣＳインデックステーブルから、ＭＣＳインデックステーブルの識別子を示すようにしてもよい。動的伝送期間において、ネットワーク側デバイスは、ＭＣＳインデックステーブル内のパラメータの値を示すために、ＵＥに更なる動的スケジューリング情報を送信することができる。これは、データの各伝送ブロック( Ｔｒａｎｓｐｏｒｔ Ｂｌｏｃｋ、ＴＢ )に動的に行われ、無線チャネル特性の変化に応じてパラメータをリアルタイムに更新できる。また、例えば、ネットワーク側デバイスは、動的な伝送においてデータ伝送チャネルを構成するために、動的なスケジューリング情報における1つ以上の電力制御パラメータ及びそのパラメータ値を示すことができる。
【００１３】
以上のように、半静的又は半持続的スケジューリング情報及び動的スケジューリング情報は、いくつかの重複するパラメータを有し得る。例えば、両方が、使用されるＭＣＳインデックステーブルを示すＭＣＳ−Ｔａｂｌｅを有してもよく、および/または両方が、同じ電力制御パラメータを有してもよい。一方、半静的又は半持続的構成チャネルと動的構成チャネルとの間には異なる特性があるので、半静的又は半持続的スケジューリング情報及び動的スケジューリング情報の各々は、互いに含まれない1以上のパラメータ、すなわち、1以上の重複されないパラメータを有し得る。
【００１４】
ＵＥが半静的又は半持続的に構成されたデータ伝送チャネルを介してネットワーク側デバイスにデータを送信する場合、伝送障害が発生する可能性がある。このような障害を検出した後、ネットワーク側デバイスは、動的に構成された伝送によって、もはや半静的または準持続的に構成された伝送を介することなく、障害データを再送することを決定することができる。
【００１５】
この場合、ＭＣＳテーブルなどの伝送構成は、構成グラントリソースと動的リソースのそれぞれに対してＲＲＣ構成が行われる。しかしながら、ＵＬグラントが、構成グラントリソースにおけるデータ再送をトリガーするとき、どのＲＲＣ構成が参照されるべきかを決定することは困難である。
【００１６】
例えば、重複パラメータにおいて、半静的又は半持続性スケジューリング情報は、ＵＥがＭＣＳテーブルＡを使用することを示すが、動的スケジューリング情報は、ＵＥがＭＣＳテーブルＢを使用することを示し、又は、例えば、半静的又は半持続スケジューリング情報は、ＵＥが電力制御パラメータＰｏ Ａを使用することを示すが、動的スケジューリング情報は、ＵＥが電力制御パラメータＰｏ Ｂを使用することを示し得る。
【００１７】
課題として、ＭＣＳテーブルＡ及びＭＣＳテーブルＢのどちらを動的構成伝送に用いるか、及び、Ｐｏ Ａ及びＰｏ Ｂのどちらを動的構成伝送に用いるかである。
【００１８】
この質問に対する答えは、ＭＣＳテーブルＢおよびＰｏ Ｂが動的スケジューリング情報から得られるので、動的構成伝送に使用されるべきであるという点で、単純に見える。
【００１９】
しかしながら、本発明者らは、動的スケジューリング情報におけるパラメータおよびそのパラメータ値が、半静的スケジューリング情報または準持続的スケジューリング情報における超高信頼超低遅延通信( Ｕｌｔｒａ−Ｒｅｌｉａｂｌｅ Ｌｏｗ−Ｌａｔｅｎｃｙ Ｃｏｍｍｕｎｉｃａｔｉｏｎ，ＵＲＬＬＣ )の信頼性を満たすために対応するパラメータおよびそのパラメータ値と比較して、送信のロバスト性をいつも保証できないため、上記の返答が再送の送信品質を必ずしも最適化できないことを見出した。
【００２０】
したがって、ＵＬグラント(動的伝送)が構成グラント伝送の再送をトリガーするとき、構成グラント伝送のために使用されるＲＲＣパラメータの一部または全部は、依然として、ＵＬグラント(動的送信)トリガーの再送のために使用され得る。
【００２１】
例えば、ＭＣＳテーブルＡは構成グラント伝送に使用され、ＭＣＳテーブルＢは動的伝送に使用される。まず、ＭＣＳテーブルＡを用いた構成グラントリソースでデータを伝送する。ＵＬグラントがデータ再送をトリガーするとき、ＭＣＳテーブルＡが依然として使用される。
【００２２】
例えば、ＭＣＳテーブルＡおよび電力制御パラメータＰｏ Ａは構成グラント伝送に使用され、ＭＣＳテーブルＢおよび電力制御パラメータＰｏ Ｂは動的伝送に使用される。まず、ＭＣＳテーブルＡと電力制御パラメータＰｏ Ａを用いた構成グラントリソースでデータが伝送される。ＵＬグラントがデータ再送をトリガーするとき、ＭＣＳテーブルＡおよび電力制御パラメータＰｏ Ａが依然として使用される。
【００２３】
例えば、ＭＣＳテーブルＡおよび電力制御パラメータＰｏ Ａは構成グラント伝送に使用され、ＭＣＳテーブルＢおよび電力制御パラメータＰｏ Ｂは動的伝送に使用される。まず、ＭＣＳテーブルＡと電力制御パラメータＰｏ Ａを用いた構成グラントリソースでデータが伝送される。ＵＬグラントがデータ再送をトリガーするとき、ＭＣＳテーブルＡおよび電力制御パラメータＰｏ Ｂが依然として使用される。
【００２４】
即ち、図２に示すように、装置により実行するデータ伝送方法であって、ここで、該装置は、構成グラント伝送のための複数のパラメータ及び動的伝送のための複数のパラメータをＲＲＣによりそれぞれ構成し、該動的伝送がＵＬグラントによりトリガーされ、構成グラント伝送のための複数のパラメータを利用してデータを伝送することと、ＵＬグラントによりデータ再送がトリガーされる場合、構成グラント伝送のための複数のパラメータの一部を利用してデータを再送することとを含む。
【００２５】
前記複数のパラメータがＭＣＳテーブルを含み、ＵＬグラントにより前記データの再送がトリガーされる場合、構成グラント伝送のためのＭＣＳテーブルを利用してデータを再送する。
【００２６】
前記複数のパラメータがＭＣＳテーブル及び電力制御パラメータＰｏを含み、ＵＬグラントにより前記データの再送がトリガーされる場合、構成グラント伝送のためのＭＣＳテーブル及び電力制御パラメータＰｏを利用してデータを再送する。
【００２７】
前記複数のパラメータがＭＣＳテーブル及び電力制御パラメータＰｏを含み、ＵＬグラントにより前記データの再送がトリガーされる場合、構成グラント伝送のためのＭＣＳテーブル及び動的伝送のための電力制御パラメータＰｏを利用してデータを再送する。
【００２８】
要約すると、ＵＲＬＬＣの信頼性を満たすために、よりロバストなパラメータが使用される。
【００２９】
以下の具体例は、本発明を制限することなく理解を増進することができる。
【００３０】
5Ｇ無線通信システムにおいて、ネットワーク側デバイスは、基地局、特に3 GPP TS38.214に記載されているｇＮｏｄｅＢまたはｇＮＢであってもよい。ＵＥは、物理上りリンク共有チャネル( Ｐｈｙｓｉｃａｌ Ｕｐｌｉｎｋ Ｓｈａｒｅｄ Ｃｈａｎｎｅｌ、ＰＵＳＣＨ )を介してｇＮＢに上りリンクデータを伝送する。
【００３１】
ＰＵＳＣＨ伝送は、たとえば、DCI ( Ｄｏｗｎｌｉｎｋ ｃｏｎｔｒｏｌ ｉｎｆｏｒｍａｔｉｏｎ、下りリンク制御情報)においてＵＬグラントによって動的にスケジューリングまたはトリガーされる動的伝送であり得る。ＰＵＳＣＨ伝送はまた、構成グラントType1 (タイプ1 )または構成グラントType2 (タイプ2 )に対応する半静的または半持続的な伝送であり得る。上記の構成グラントType1のＰＵＳＣＨ伝送は、ＤＣＩにおいてＵＬグラントを検出することなく、rrc-ConfiguredUplinkGrantを含むconfigureGrantConfigの上位層パラメータを受信したときに半静的に行われるように構成され得る。すなわち、ＰＵＳＣＨの構成は、configureGrantConfigに構成されたパラメータ値を用いて完了することができる。rrc-ConfiguredUplinkGrantを含まない上位層パラメータconfiguredGrantConfigを受信した後、3 GPP TS38.213に従って、ＵＬグラントは、有効な活性化DCIにおいて構成グラントタイプ2のＰＵＳＣＨ伝送を半持続的にスケジューリングする。すなわち、ＰＵＳＣＨの構成は、configuredGrantConfigに構成された値に加えて、ＵＬグラントに構成されるパラメータ値を必要とする。
【００３２】
データが、構成グラントに対応する半静的または半持続的な伝送で伝送されるとき、伝送のためのパラメータは、configuredGrantConfigによって提供され得る。
【００３３】
データの再送が必要とされる場合、再送は、ＵＬグラントによってトリガーされる動的伝送であり得、そのために、再送のためのパラメータがpusch-Configによって提供され得る。
【００３４】
PUSCH-Config、Type1のためのconfigureGrantConfig、Type2のためのconfigureGrantConfigは、それぞれ表1に示すようにＰＵＳＣＨを構成するための複数のパラメータを含む。パラメータに違いがケースある。
【００３５】
1.いくつかのパラメータは、pusch-Configにおいてのみ指定され、Type1のためのconfigureGrantConfigまたはType2のためのconfigureGrantConfigにおいては定義されず、例えば、tp-pi2BPSKである。
【００３６】
2. いくつかのパラメータは、pusch-Configにおいて指定され、Type1のためのconfigureGrantConfigおよびType2のためのconfigureGrantConfigは、「pusch-Configにおいて指定されたパラメータに対応する」、例えばdataScramblingIdentityPUSCHのみを示す。
【００３７】
3.いくつかのパラメータは、pusch-Configにおいて指定されていないが、Type1のためのconfigureGrantConfigおよびType2のためのconfigureGrantConfigにおいて定義され、例えばnrofHARQProcessesである。
【００３８】
4.いくつかのパラメータは、pusch-Config、Type1のためのconfigureGrantConfig、およびType2のためのconfiguredGrantConfigのそれぞれにおいて指定され、同じ名前(例えば、mcs-Table )を使用して、または異なる名前(例えば、pusch-ConfigではDMRS-UplinkConfigであるが、Type1のためのconfigureGrantConfigおよびType2のためのconfigureGrantConfigではcg-DMRS-Configuration )を使用される。
【表１】
2021512532.tif 000003
2021512532.tif 000004
【００３９】
上記ケース４において、表1の網掛け部分の各パラメータ(重複パラメータと呼ぶ)は、pusch-ConfigとType1のためのconfigureGrantConfigとType2のためのconfigureGrantConfigにおいて、異なる値に構成することができる。
【００４０】
半静的な伝送や半持続的な伝送によるデータ伝送で、Type1又はType2のconfiguredGrantConfigで指定されたパラメータを用いる。様々な理由により、例えば、半静的又は半持続的に伝送されるデータが、伝送中に誤動作した場合、データを再送することが必要となり得る。故障検出は、任意の既知の検出機構によって実行されてもよく、したがって、本発明は、任意の特定の検出機構によって限定されるべきではない。データの再送は、ＵＬグラントによってトリガーされ、すなわち、データの再送は、通常はpusch Configによって構成される動的伝送を使用する。
【００４１】
しかしながら、上述したように、ＭＣＳインデックステーブルの識別子( ＭＣＳ−Ｔａｂｌｅ )などのいくつかのパラメータは、pusch-ConfigとType1またはType2のためのconfigureGrantConfigの両方において指定される。このため、どちらのmcs-Tableを用いて動的伝送を行うかが問題となる。
【００４２】
この質問への答えは、pusch-Configで指定されたmcs-Tableが動的伝送に専用しているのでpusch-Configで指定されたmcs-Tableを用いて動的伝送を行うべきである、単純に見える。
【００４３】
しかしながら、本発明者らは、半静的スケジューリング情報または半持続的スケジューリング情報における超高信頼超低遅延通信( Ｕｌｔｒａ−Ｒｅｌｉａｂｌｅ Ｌｏｗ−Ｌａｔｅｎｃｙ Ｃｏｍｍｕｎｉｃａｔｉｏｎ、ＵＲＬＬＣ )の信頼性を満たすために対応するパラメータおよびそのパラメータ値と比較して、動的伝送に指定されて使用される動的伝送のパラメータ値が送信のロバスト性をいつも保証できないため、上記の答えが再送の送信品質を必ずしも最適化できないことを見出した。
【００４４】
上記の発見に鑑みて、重複パラメータに関して、pusch-Configにおいて指定される動的伝送のためのパラメータか、または、configureGrantConfigにおいて指定される半静的または半持続的な伝送パラメータがか、動的伝送を構成するためによりロバストなパラメータ値が選択され、データ再送信の信頼性および待ち時間をより良好に保証することができる。
【００４５】
例えば、重複パラメータMCS-Table及びMCS-TableTransformPrecoder (これら2つのパラメータを合わせてＭＣＳテーブルと呼ぶことがある)について、半静的又は半持続的な伝送についてのconfigureGrantConfigがＭＣＳテーブルＡを指定することができ、一方、動的伝送を再送するpusch-ConfigがＭＣＳテーブルＢを指定することができる。この場合、データ伝送のためのＭＣＳテーブルAは、データ再送にもそのまま適用され、これは、よりロバストな構成を提供するためである。ＭＣＳテーブルＡのＭＣＳ−Ｔａｂｌｅで示されるＭＣＳインデックステーブル内のサブパラメータは、再送されるデータの各データセグメントに対して、pusch-Configがより頻繁にネットワーク機器からＵＥに送信されるため、これらのサブパラメータに対応する値はpusch-Configによって動的に構成されてもよい。
【００４６】
たとえば、重複パラメータp0-PUSCH-Alpha、powerControlLoopToUseおよびpathlossReferenceIndex (これらの3つのパラメータを合わせて電力制御パラメータPoと呼ぶ)について、半静的又は半持続的な伝送のためのconfigureGrantConfigは、電力制御パラメータＰｏ Ａを指定することができ、一方、動的伝送の再送のためのPUSCH-Configは、電力制御パラメータＰｏ Ｂを指定することができる。この場合、電力制御パラメータＰｏ Ａがよりロバストな構成を提供するので、データ伝送のための電力制御パラメータＰｏ Ａは、データ再送のために依然として使用される。
【００４７】
例えば、重複パラメータtransformPrecoderについて、半静的又は半持続的な伝送のためのconfigureGrantConfigはtransformPrecoder Aを指定することができ、一方、動的伝送の再送のためのpusch-ConfigはtransformPrecoder Bを指定することができる。この場合、transformPrecoder Aがよりロバストな構成を提供するので、データ伝送のためのtransformPrecoder Aは、データ再送のために依然として使用される。
【００４８】
要するに、configureGrantConfigによって指定された、半静的又は半持続的な伝送のための重複パラメータにおいて、よりロバストな構成を提供する部分は、データ再送のための動的な送信のために依然として使用される。
【００４９】
前記重複パラメータの一部は、3GPP TS 38.214のmcs-Table、mcs-TableTransformPrecoder、p0-NominalWithoutGrant、p0-PUSCH-Alpha、powerControlLoopToUse、pathlossReferenceIndex及びtransformPrecoderのうちの少なくとも１つを含むことができる。
【００５０】
前記重複パラメータの一部は、3GPP TS 38.214のmcs-Table、mcs-TableTransformPrecoder、p0-NominalWithoutGrant、p0-PUSCH-Alpha、powerControlLoopToUse、pathlossReferenceIndex及びtransformPrecoderを含むことができる。すなわち、ＵＬグラントがデータの再送をトリガーするとき、上記の一部の重複パラメータに加えて、動的伝送のための残りの全てのパラメータが、データを再送信するために使用される。
【００５１】
前記重複パラメータの一部は、3GPP TS 38.214のmcs-Table、mcs-TableTransformPrecoder、p0-PUSCH-Alpha、powerControlLoopToUse、pathlossReferenceIndex及びtransformPrecoderを含むことができる。すなわち、ＵＬグラントがデータの再送をトリガーするとき、上記の一部の重複パラメータに加えて、動的伝送のための残りの全てのパラメータが、データを再送するために使用される。
【００５２】
５Ｇシステムにおける関連の複雑な技術は、上述の標準文書(例えば、3 GPP TS38.214及び3 GPP TS38.213 )、関連する標準文書3 GPP TS38.331及び3 GPP TS38.321、並びに本明細書に引用される他の標準文書と共に記載される。これらの標準文書の内容は、当業者が本発明を実施することを可能にする。
【００５３】
また、本願は、装置を提供し、上記の方法を実行する。
【００５４】
該装置は、図３に示すように、伝送部及び再送部を含み、伝送部は、構成グラント伝送のための複数のパラメータを利用してデータを伝送するように構成され、再送部は、ＵＬグラントによりデータ再送がトリガーされる場合、構成グラント伝送のための複数のパラメータの一部を利用してデータを再送するように構成される。
【００５５】
該装置は、1つ以上のプロセッサと、プログラム命令を記憶する1つ以上のメモリとを備え、プログラム命令が1つ以上のプロセッサによって実行されると、上述の方法を実行するように適合されてもよい。図4は、プロセッサとメモリを有する装置の例を示す。
【００５６】
また、本開示は、装置内の1つまたは複数のプロセッサによって実行されると、装置が上述の方法を実行するプログラム命令を含むコンピュータプログラムを提供する。
【００５７】
また、本開示は、上記のコンピュータプログラムを記憶するための媒体を提供する。媒体は、コンピュータプログラムを記憶することが可能な任意の媒体、例えば、コンピュータ可読媒体であってよい。
【００５８】
当業者には明らかなように、上述の機能、ツール、モジュール、ユニット、装置、またはシステムは、ハードウェア、ソフトウェア、またはそれらの組合せを用いて実装され得る。ハードウェアの実施に関して、ハードウェアは、1つ以上の特定用途向け集積回路( ＡＳＩＣ )、デジタル信号プロセッサ( ＤＳＰ )、デジタル信号処理装置( ＤＳＰＤ )、プログラマブル論理装置( ＰＬＤ )、フィールドプログラマブルゲートアレイ( ＦＰＧＡ )、プロセッサ、コントローラ、マイクロコントローラ、マイクロプロセッサ、及び他の適切な電子ユニット、又はそれらの選択的な組み合わせにおいて実施されてもよく、ソフトウェアの実施に関して、ソフトウェアは、任意の適切なプログラミング言語でコンピュータプログラム及び/又はコードを書いてもよく、適切なコンピュータ可読媒体などの担体によって担持され、1つ以上のコントローラ又はプロセッサによって実行されてもよい。コンピュータ可読媒体は、ＲＯＭ、ＲＡＭ、ＣＤ−ＲＯＭ、磁気テープ、フロッピーディスク、及び光データ記憶装置等のうちの1つ以上であり得る。また、上記データは、対応する情報を含む技術的構造を有するメッセージであってもよい。メッセージは、電子デバイスによって送信または受信され得るアナログまたはデジタル形態の電子メッセージであり得る。メッセージは、キャリア(例えば、上述したようなコンピュータ可読媒体)によって、または通信チャネル(例えば、無線通信チャネルもしくは有線通信チャネル)によって、電気信号、電磁波、または任意の他の適切な形態で搬送され得る。
【００５９】
本発明は、上記の詳細な説明に限定されず、添付の特許請求の範囲に定義される原理に基づいて広く解釈されるべきであることが理解されるべきである。したがって、本発明の範囲には、特許請求の範囲と均等の意味および範囲内でのすべての変更が含まれることが意図される。
【図１】
2021512532.tif 000005
【図２】
2021512532.tif 000006
【図３】
2021512532.tif 000007
【図４】
2021512532.tif 000008
【国際調査報告】
2021512532.tif 000009
2021512532.tif 000010